【手続補正書】
【提出日】平成15年8月21日(2003.8.21)
【手続補正１】
【補正対象書類名】明細書
【補正対象項目名】全文
【補正方法】変更
【補正の内容】
【発明の名称】歩車道境界の雨水浸透トレンチ縁石
【特許請求の範囲】
【請求項１】歩道境界縁石の形状において、表面に箱形空間部を設けて底部を両側に開口し、グレーチングふたを固定する穴を縁石の上部両側に設ける。箱形空間はフィルター収容部として、グレーチングふたより流下する雨水をフィルターを通して箱形空間の底部開口より地中に雨水を浸透させることを特徴とする歩道境界の雨水浸透トレンチ縁石。
【請求項２】車道境界縁石のＬ字形状において、車道面と同じレベルになる表面の中心部に箱形空間を設け底部が開口されており、歩道側面と車道側面の両側も開口されている。車道面と同じレベルになる表面にグレーチングふたを固定する穴を両側に設け、Ｌ字形状の内側直角面の一部から箱形空間の下側に向けて雨水案内斜面を設け車道面より流下する雨水を、グレーチングふたより箱形空間のフィルター収容部に流下させる。
ただしＬ字形状縁石においては、内側面の直角所の隅に溜まった雨水を、雨水案内斜面より箱形空間のフィルター収容部に流入させ、底部開口から車道または歩道側の地中に雨水を浸透させることを特徴とした、特許請求の範囲第一項に記載の縁石形状違いの車道境界縁石の雨水浸透トレンチ縁石。
【発明の詳細な説明】
【０００１】
【産業上の利用分野】
本発明は、舗装された歩道面、車道面に降った雨水を歩道面または車道面の裏側に地下浸透させるトレンチ縁石である。
【０００２】
【従来の技術】
従来の歩車道境界縁石は、民地側と歩道を分ける境界縁石と、民地側及び歩道と車道側を分ける車道境界縁石で、それぞれ境界縁石としての役割であった。
【０００３】
【発明が解決しようとしている課題】
前記の歩道境界縁石と車道境界縁石は道路を構成する一部で、境界縁石としての役割のみであった。歩道面や車道面に降った雨水は縁石を乗り越えたり、縁石の斜面に沿って下水道管に流下させていた。本発明は歩道面、車道面に降った雨水を、縁石に内部空間を設け、ここより雨水を地中に浸透させるトレンチ縁石を提供することにある。
【０００４】
【課題を解決するための手段】
本発明は、歩道境界縁石の形状において、表面に箱形空間部を設けて底部を両側に開口し、縁石上部にはグレーチングふたを固定する穴を両側に設ける。箱形空間はフィルター収容部としてグレーチングふたより流下する雨水を、フィルターを通して箱形空間の底部開口より雨水を地中に浸透させる。
車道境界縁石のＬ字形状においては、車道面と同じレベルの表面中心部に箱形空間を設け、歩道側面と車道側面の両側に底部を開口し、車道面と同じレベルの表面にグレーチングふたを固定する穴を両側に設けてある。Ｌ字形状の内側直角面の一部から箱形空間の下側に向け雨水案内斜面を設け、車道面から流下する雨水をグレーチングふたより箱形空間のフィルター収容部に流下させる。
Ｌ字形状縁石においては、内側面の直角所の隅に溜まった雨水を、雨水案内斜面より箱形空間のフィルター収容部に流入させ、底部開口から車道または歩道側の地中に雨水を浸透させることを特徴とする歩車道境界縁石の雨水浸透トレンチ縁石により前記の問題を解決した。
【０００５】
【作用】
本発明は、上記の構成により、歩道面や車道面に降った雨水を、歩車道境界縁石のフィルター収容部を通して歩車道の裏側面の地中に浸透させ、車道側の雨水下水管に雨水の流入を防止することを可能にした。
【０００６】
【実施例】
以下、本発明を添付図面に示す実施例に基づいて詳述する。
図１は歩道用雨水浸透トレンチ縁石図を示す。
歩道用雨水浸透トレンチ縁石１は長方形状の縁石で、内側に箱形空間のフィルター収容部５を設ける。上部側ふち面にはグレーチングふた受台４を設け、グレーチングふた８を固定するためのグレーチングふた固定ボルト穴７を設ける。
また周囲上部のフチ側にはＶ字型雨水案内溝６を設けてあり、底部のフィルター収容部５より出た雨水はトレンチ縁石底部開口部３より出て地中に雨水を浸透させる。
【０００７】
図２はグレーチングふたを示す。
グレーチングふた８は、両側にグレーチングふた固定ボルト穴７を設けた構造となっている。
【０００８】
図３は車道用雨水浸透トレンチ縁石図を示す。
車道境界縁石の断面はＬ字形状になっている。車道用雨水浸透トレンチ縁石２は表面の中心部に箱形空間のフィルター収容部５を設け、グレーチングふた８の受台としてグレーチングふた受台４を設けている。このグレーチングふた８を固定するために、グレーチングふた固定ボルト穴７を設けてある。車道面より流下する雨水を、フィルター収容部５に流下させるために雨水案内斜面９を設けた。フィルター収容部５より出た雨水はトレンチ縁石底部開口部３より出て地中に雨水を浸透させる。
【０００９】
図４は歩車道上に設置した雨水浸透トレンチ縁石図を示す。従来からある歩道上に歩道用雨水浸透トレンチ縁石１の設置図で、車道用においては従来からあるＬ字形状縁石と入れ替えた車道用雨水浸透トレンチ縁石２を設置図である。
【００１０】
図５は、歩車道の雨水浸透トレンチ縁石断面図を示す。歩道面１０に降った雨水は、歩道用雨水浸透トレンチ縁石１のグレーチングふた８を通して、フィルター収容部５に流入し、トレンチ縁石底部開口部３を通り歩道路盤砕石１１に入る。ここより遮断層用砂１２に浸透する。
また、車道用雨水浸透トレンチ縁石２は、車道表面１８に降った雨水をグレーチングふた８と雨水案内斜面９を通してフィルター収容部５に流入させる。雨水は、トレンチ縁石底部開口部３を通り歩道側の遮断層用砂１２に浸透する雨水と、車道側の保水性砕石１５に流入する雨水とがある。
【００１１】
【発明の効果】
図５が示す構成により、歩道面に降った雨水は歩道面の裏側へ地下浸透する。車道表面１８に降った雨水は、車道用雨水浸透トレンチ縁石２を通してトレンチ縁石底部開口部３より保水性砕石１５に雨水を流入させる。車道透水性舗装１４より保水性採石１５の雨水が蒸発することで車道透水性舗装１４の表面温度を下げる作用があり、ヒートアイランド対策にも有用である。また、下水道に雨水を流入させないので河川への治水対策にもなる。
【図面の簡単な説明】
【図１】歩道用雨水浸透トレンチ縁石図
【図２】グレーチングふた図
【図３】車道用雨水浸透トレンチ縁石図
【図４】歩車道上に設置した雨水浸透トレンチ縁石図
【図５】歩車道の雨水浸透トレンチ縁石断面図
【符号の説明】
１．  歩道用雨水浸透トレンチ縁石
２．  車道用雨水浸透トレンチ縁石
３．  トレンチ縁石底部開口部
４．  グレーチングふた受台
５．  フィルター収容部
６．  Ｖ字型雨水案内溝
７．  グレーチングふた固定ボルト穴
８．  グレーチングふた
９．  雨水案内斜面
１０．歩道表面
１１．歩道路盤砕石
１２．遮断層用砂
１４．車道透水性舗装
１５．保水性砕石
１６．密粒度舗装
１７．砕石
１８．車道表面
１９．車道用縁石基礎部


【手続補正２】
【補正対象書類名】図面
【補正対象項目名】全図
【補正方法】変更
【補正の内容】
【図１】
2003301506.tif 000001
【図２】
2003301506.tif 000002
【図３】
2003301506.tif 000003
【図４】
2003301506.tif 000004
【図５】
2003301506.tif 000005